(57)【要約】      （修正有）【課題】軽量であり、しかも耐食性に優れ、かつ視認性を高めた防護柵の支柱および該支柱を使用した防護柵を提供する。【解決手段】防護柵の支柱本体１１が繊維強化プラスチック製であり、支柱本体１１の上端部に、太陽電池を収納した自発光式標識体１２を接続した。さらにこの支柱本体１１に反射テープを巻き付けてもよい。そして防護柵としては、このような支柱間にネット２を架設する。【選択図】図２
0003201339.tif 000002
【実用新案登録請求の範囲】
【請求項１】
支柱本体が繊維強化プラスチック製である防護柵の支柱であって、支柱本体の上端部に、太陽電池を収納した自発光式標識体が接続されていることを特徴とする防護柵の支柱。
【請求項２】
支柱本体に反射テープを巻き付けたことを特徴とする請求項１に記載の防護柵の支柱。
【請求項３】
支柱と支柱の間にネットを架設した防護柵であって、支柱が請求項１または２に記載の支柱であることを特徴とする防護柵。
【考案の詳細な説明】
【技術分野】
【０００１】
本考案は、建設現場に設置されたコンクリート部材の上に架設される防護柵の支柱及び防護柵に関する。
【背景技術】
【０００２】
プレキャスト等のコンクリート部材を使用して建築物を建造する建設現場では、しばしば、コンクリート部材の上で作業が行われる。
コンクリート部材は、通常、高さが２〜３ｍ以上であり、転落すると重大な事故を引き起こすため、コンクリート部材の上には防護柵を仮設して、作業者の転落事故を防止する対策をとっている。
【０００３】
仮設の防護柵としてよく使用されるものは、図３に示すように、コンクリート部材の上面に複数の鋼製の支柱１を所定の間隔を置いて立設し、隣り合う支柱に間に横紐を渡したものである。支柱の数箇所にはアイナットなどの部材がボルトにより取り付けられており、アイナットの環状部に紐を通して結わえ、支柱間に横紐を張ることにより、防護柵を架設している。
【０００４】
通常、コンクリート部材は重量物であり、クレーンなどで吊り上げることにより作業現場に設置されるため、コンクリート部材の上面には吊り上げ用のアンカーが埋め込まれている。
防護柵の支柱は、下端をこのアンカーに溶接することにより、コンクリート部材に立設することができる。また、防護柵の取り外しは、支柱の下端を溶断して行うことができる。
溶断により取り外された支柱は損傷を受け、再使用が困難になるので、支柱の下端部にとる付け具を装着し、螺子機構を利用して、コンクリート部材に埋め込まれた吊り上げ用のアンカーに支柱を固定する溶接によらない支柱の立設方法も提示されている（特許文献１参照）。
また、吊り上げ用のアンカーが所望の位置にないときは、コンクリート部材にインサートを埋め込み、同様の方法を採用して支柱をコンクリート部材の上面に立設することができる。
【０００５】
従来の防護柵の支柱には鋼製のものが多く使用されてきたが、鋼製の支柱は重量が大きく、また長期間使用するにしたがって塗料がはがれ錆が発生して腐食する。
また、従来の防護柵の支柱には、作業者に転落事故の発生を防止するために視認性を高める機能を付与することについては考慮されていなかった。
【先行技術文献】
【特許文献】
【０００６】
【特許文献１】特開２００２−１４７０２７号公報
【考案の概要】
【考案が解決しようとする課題】
【０００７】
本考案は従来技術の有するこのような問題点に鑑みてなされたものであり、その目的とするところは、軽量であり、しかも耐食性に優れ、かつ視認性を高めた防護柵の支柱および該支柱を使用した防護柵を提供することを目的とする。
【課題を解決するための手段】
【０００８】
上記目的を達成するために、本考案は以下の手段を採用する。
［１］支柱本体が繊維強化プラスチック製である防護柵の支柱であって、支柱本体の上端部に、太陽電池を収納した自発光式標識体が接続されていることを特徴とする防護柵の支柱。
［２］支柱本体に反射テープを巻き付けたことを特徴とする［１］に記載の防護柵の支柱。
［３］支柱と支柱の間にネットを架設した防護柵であって、支柱が［１］または［２］に記載の支柱であることを特徴とする防護柵。
【考案の効果】
【０００９】
本考案の防護柵の支柱および該支柱を使用した防護柵は、支柱本体が繊維強化プラスチック製であるから、軽量であって防護柵の組立が容易であり、しかも耐腐食性に優れるものである。そして、支柱本体の上端部に太陽電池を収納した自発光式標識体を接続したものであるから、視認性が高く、しかも長期にわたって使用することができる。
【図面の簡単な説明】
【００１０】
【図１】本考案の支柱を示す側面図である。
【図２】本考案の防護柵を示す正面図である。
【図３】従来の防護柵の支柱を示す正面図である。
【考案を実施するための形態】
【００１１】
以下、本考案の一実施形態について、図を援用して詳細に説明する。
図１には本考案の支柱１を示し、図２にはこの支柱を所定の間隔で配置して、支柱１と支柱１の間にネット２を張り渡した防護柵を示した。支柱１は取付け具４を介してコンクリート部材５の上面に立設されている。
【００１２】
防護柵の支柱１の本体１１は繊維強化プラスチック（ＦＲＰ）製のパイプである。ＦＲＰは、軽量で強度が高く、しかも耐腐食性に優れるものであるから、従来の鋼管に比べて、耐久性が高く、長期間使用しても劣化しにくい。繊維強化プラスチックの強化材としては、炭素繊維、樹脂繊維などが使用される。
【００１３】
本考案の支柱１の上端部には、日中においても薄暗い時や悪天候の中でも作業者に視認性を持たせるために、自発光式の標識体１２を取り付けている。こうすることで、支柱に転落事故を未然に防止するために有効な機能を付与することができる。
標識体１２は、太陽電池パネル、蓄電池、発光ユニットおよび制御回路を備えている。
【００１４】
太陽電池パネルは、光電変換部を有する太陽電池と該電池を覆う透光板とからなり、透光板を通過する太陽光を電力に変換する。透光板は太陽電池の破損を防止する機能も有しており、光透過率や耐候性、耐水性に優れた樹脂部材が使用される。
【００１５】
蓄電池（バッテリー）は太陽電池で発電された電力を蓄積するものであり、これにはリチウムイオン電池等を使用することができる。太陽電池パネルと蓄電池との間には太陽電池の発電電圧や蓄電池の充電の程度に応じて充電を調整する制御回路を備えている。
【００１６】
発光ユニットは、プリント配線基板、該基板に実装された光源としてのＬＥＤおよび該ＬＥＤから出射された光を外部に拡散して配光するレンズカバーを備えている。
プリント基板には複数個のＬＥＤがアレイ状に実装されており、蓄電池の電力により点灯するように配線されている。そして、点灯したＬＥＤの光を外部に向かって拡散して配光させるために、樹脂板に複数のレンズ（図２に示される標識体１２における編み目が施された円形の部位）が嵌めこまれたレンズカバーがプリント基板の面と平行に複数個のＬＥＤを覆うように、発光ユニットに設けられている。
ＬＥＤの光を拡散して配光することにより、支柱１の視認性をより一層高めることができる。また、レンズカバーはＬＥＤの破損をも防止している。
【００１７】
発光ユニットは標識体１２に１つ設けて、作業者が作業するコンクリート部材の中心部側に向ければよいが、図１に示される標識体では上記のような発光ユニットを２つ設けており、外部に向けて互いに反対方向の二方向に発光するようになっている。こうしておくと、二方向の発光のうち、一方向は作業者が作業するコンクリート部材の中心部側に向かう方向とするが、他の一方向の発光はコンクリート部材の周辺にいる作業者からも確認できる。
【００１８】
太陽電池パネルは、太陽電池の受光面が上を向くように標識体１２の上端部に配置され、該パネルの下部には蓄電池、制御回路および発光ユニットを配置する。これらの標識体を構成する部品は、太陽電池パネルとレンズカバーを露出させた状態で、１つの、あるいは複数の収納筺に適宜収納して配置することができる。
標識体１２は、太陽電池の電力で発光するので、外部から電線を引いて電力を得る必要がなく、また電池の耐用年数内であれば電池を交換する必要もないから、長期間の間メンテナンスなしで使用することができる。
【００１９】
標識体１２の下部には、支柱本体の上端部に嵌合する樹脂製の筒状フレーム１３が設けられており、このフレームを介して支柱本体１１の上端部に標識体１２が接続されている。標識体１２の下部を支柱本体の上端部の断面に合わせて支柱本体の上端部に嵌合させることにより、標識体１２を直接支柱本体１１に接続してもよい。
【００２０】
支柱１にはさらに支柱の視認性を高めるために、支柱本体１１の高さ方向の少なくとも１個所以上の数箇所に反射テープ１４を貼着してもよい。支柱１は高さが１ｍ２０ｃｍ前後であり、標識体１２より下の支柱本体の視認性を高めることができる。また、光反射率の高い反射テープはとりわけ暗がりの中で視認性を確保するのに有効である。
【００２１】
支柱本体１１には、その高さ方向の複数の個所に、環状部材３を取り付けることができる。図１、２では３個所に環状部材が取り付けられている。このような部材は、例えば例えばアイナットを使用して、これをボルトで取り付けることにより、支柱本体１１に容易に取り付けることができる。環状部材３については後述する。
【００２２】
支柱本体１１の下端部は、コンクリート部材５に設けられたアンカー等に取付け具４を介して接続することにより、支柱１はコンクリート部材の上面に立設されている。溶接を使用することなく支柱を立設する工法は種々のものが開発されており、そのいずれかのものを採用すればよい（特許文献１参照）。
【００２３】
ネット２は、図２から分かるように、フック６を介して支柱１と支柱１の間に張り渡されて架設されている。すなわち、フック６にネットの左右の端部を引っ掛けて、該フック６を環状部材３の環の中に通すことにより、支柱１と支柱１の間にネット２は架設されている。あるいは環状部材３の環の中に通したフック６にネットの端部を引っ掛けることにより、支柱１と支柱１の間にネット２は架設することもできる。
【００２４】
図２に示す例では、矩形のネットの４角部と左右の縦辺の１個所の都合６個所で、ネット２はフック６を介して、支柱１に取り付けられた環状部材３に係止されている。ここでは、フック６として、市販のリングキャッチが使用されている。この部品は、円環状の本体に接続体が螺合しており、この接続体を一方向に回転すると、本体を円環状に閉じることができるから、環状部材３やネット２から外れることがない。そして、接続体を逆回転することにより、本体の隙間が現れ、この隙間から、環状部材やネットを容易に外すことができる。
【００２５】
防護柵は通常コンクリート部材５の上面の縁部に沿って架設されるから、支柱１もコンクリート部材５の縁部に立設される。作業員はコンクリート部材上面の縁部で囲まれた場所で作業することが多いから、発光ユニットの発光方向がこのような作業場所に向くように標識体１２を配置すればよい。
【符号の説明】
【００２６】
１：支柱
１１：支柱本体
１２：標識体
１３：筒状フレーム
１４：反射テープ
２：ネット
３：環状部材
４：取付け具
５：コンクリート部材
６：フック
【図１】
0003201339.tif 000003
【図３】
0003201339.tif 000004
【図２】
0003201339.tif 000005